(57)【特許請求の範囲】
【請求項１】
正面部、背面部、一対の側面部および底面部によって頂部側をビデオカセットケースやＤＶＤケース等の記録媒体保持ケースの出し入れ口として開口させた扁平箱型の収納ボックス本体と、この収納ボックス本体のうち前記出し入れ口の長手方向の両縁より正面部および背面部の裏面側に折り返された折り返し片と、前記収納ボックス本体の背面部より内側に折り返されて前記正面部と前記折り返し片との隙間に差し込まれた差し込み片とを備えてなる収納ボックスを所要箇所に折り線を形成した１枚の展開ブランクから組立てて製造する記録媒体保持ケース用の収納ボックスの製造方法であって、
前記折り返し片を正面部および背面部の内側に折り返しつつ正面部および背面部を、底面部を介して対面位置に折り曲げる第１の折り込み工程と、前記正面部、背面部および底面部で部分的に囲まれる側面開口を閉止する位置に前記側面部を折り曲げつつ前記正面部と前記折り返し片との隙間に前記差し込み片を差し込む第２の折り込み工程とによって収納ボックスを仮組みし、しかる後、前記差し込み片を前記正面部と折り返し片との隙間から引き出して糊面を形成し再度前記正面部と折り返し片との隙間に挿入することで差し込み片を正面部の裏面に糊付けする仕上げ工程を実施することを特徴とする記録媒体保持ケース用の収納ボックスの製造方法。
【請求項２】
前記収納ボックスが、前記側面部より前記底面部の裏面側に折り返された重ね合わせ部を備え、前記第２の折り込み工程時に、前記側面部より前記底面部の裏面側に重ね合わせ部を折り返す請求項１記載の記録媒体保持ケース用の収納ボックスの製造方法。
【請求項３】
前記収納ボックスが、前記底面部より前記側面部の裏面側に折り返された重ね合わせ部を備え、前記第２の折り込み工程時に、前記底面部より前記側面部の裏面側に重ね合わせ部を折り返す請求項１記載の記録媒体保持ケース用の収納ボックスの製造方法。
【請求項４】
前記収納ボックスが、前記出し入れ口の短手方向の両縁より側面部の裏面側に折り返される補助折り返し片を備え、前記第１の折り込み工程以降に前記補助折り返し片を折り返す工程を実施する請求項１〜３の何れかに記載の記録媒体保持ケース用の収納ボックスの製造方法。
【請求項５】
前記第１の折り込み工程の前に、予め展開ブランクの糊面となる位置に両面テープの一方の面を貼着しておき、前記仕上げ工程において前記両面テープの他方の面から剥離紙を剥離して糊面を形成する請求項１〜４の何れかに記載の記録媒体保持ケース用の収納ボックスの製造方法。
【請求項６】
前記仕上げ工程において、前記差し込み片を前記正面部と折り返し片との隙間から引き出し、この引き出した差し込み片に対して糊の添着を行う請求項１〜４の何れかに記載の記録媒体保持ケース用の収納ボックスの製造方法。
【請求項７】
展開ブランク自体に所要のプリントを施すプリント工程を予め実施する請求項１〜６の何れかに記載の記録媒体保持ケース用の収納ボックスの製造方法。
【請求項８】
展開ブランクに対して、予め折り曲げた状態で出し入れ口の長手方向に沿った縁となる部位に、穴を打ち抜いて空けるようにしている請求項１〜７の何れかに記載の記録媒体保持ケース用の収納ボックスの製造方法。
【発明の詳細な説明】
【技術分野】
【０００１】
本発明は、ビデオカセットケースやＤＶＤケース等の記録媒体保持ケース用の収納ボックスの製造方法に関するものである。
【背景技術】
【０００２】
従来より、正面部、背面部、一対の側面部および底面部によって頂部側をビデオカセットケースやＤＶＤケース等の記録媒体保持ケースの出し入れ口として開口させた扁平箱型の収納ボックスが知られている。
【０００３】
この収納ボックスは、１枚の展開ブランクに、正面部、背面部、一対の側面部、底面部、および、組立て状態で前記正面部の裏面および前記底面部の裏面にそれぞれ重合する重ね合わせ部を形成しておき、これらを組立てた状態で、前記重ね合わせ部をステープラや糊によって固定するようにしている。
【０００４】
このような収納ボックスは、例示するまでもなく周知であるため、特許文献の記載は省略する。
【発明の概要】
【発明が解決しようとする課題】
【０００５】
ところで、一般にこの種の収納ボックスを利用する際は、出し入れ口を手前にして正面部と背面部を片手で掴み、その状態で記録媒体保持ケースを出し入れするのが通例である。その際、記録媒体保持ケースを挿入していない状態で収納ボックスにある程度の腰がないと、片手で掴んだ際に出し入れ口の開口が狭まり、記録媒体保持ケースの挿入や抜き取りが困難になる。
【０００６】
そこで、従来では展開ブランクにある程度の厚みのあるボール紙等の紙素材（例えば厚み１．５ｍｍ〜３ｍｍ程度）を用い、これを上述したボックス状に組み立てるようにしていた。このため、厚みにより組み立て難く、材料コストも増えるという難点があった。また、表面に印刷が必要な場合に、上記のような厚手の紙素材を印刷するオフセット印刷機が無いため、従来では紙素材をボックス状に組み立てる工程の前後に、紙素材にプリント済の薄い紙やフィルムを貼り付ける工程を実施する必要があり、材料コストや製造コストが更に嵩むという問題があった。
【０００７】
本発明は、このような課題に着目し、材料コストの削減と製造コストの削減を同時に図った記録媒体保持ケース用の収納ボックスの製造方法を提供することを目的としている。
【課題を解決するための手段】
【０００８】
本発明は、かかる目的を達成するために、次のような手段を講じたものである。
【０００９】
すなわち、本発明に係る記録媒体保持ケース用の収納ボックスの製造方法は、正面部、背面部、一対の側面部および底面部によって頂部側をビデオカセットケースやＤＶＤケース等の記録媒体保持ケースの出し入れ口として開口させた扁平箱型の収納ボックス本体と、この収納ボックス本体のうち前記出し入れ口の長手方向の両縁より正面部および背面部の裏面側に折り返された折り返し片と、前記収納ボックス本体の背面部より内側に折り返されて前記正面部と前記折り返し片との隙間に差し込まれた差し込み片とを備えてなる収納ボックスを所要箇所に折り線を形成した１枚の展開ブランクから組立てて製造するにあたり、前記折り返し片を正面部および背面部の内側に折り返しつつ正面部および背面部を、底面部を介して対面位置に折り曲げる第１の折り込み工程と、前記正面部、背面部および底面部で部分的に囲まれる側面開口を閉止する位置に前記側面部を折り曲げつつ前記正面部と前記折り返し片との隙間に前記差し込み片を差し込む第２の折込工程とによって収納ボックスを仮組みし、しかる後、前記差し込み片を前記正面部と折り返し片との隙間から引き出して糊面を形成し再度前記正面部と折り返し片との隙間に挿入することで差し込み片を正面部の裏面に糊付けする仕上げ工程を実施することを特徴とする。
【００１０】
このような製造方法によると、折り込みから仮組、仕上げまでを簡単な折り曲げ作業や糊付け作業を通じて短時間で完了することができる。しかも、正面部および背面部が折り返し片によって二重になり、差し込み片が背面部から起こされて正面部と折り返し片の間に差し込まれて貼着されることによって正面部、背面部、側面部および底面部が不離一体になるため、展開ブランクを薄くしても所要の強度を確保することが容易になり、材料コストの削減とともに作業の一層の簡素化を果たすことができるようになる。
【００１１】
特に、前記収納ボックスが、前記側面部より前記底面部の裏面側に折り返された重ね合わせ部を備え、前記第２の折り込み工程時に、前記側面部より前記底面部の裏面側に重ね合わせ部を折り返すようにしておけば、作業手順を殆ど増加させることなく、重ね合わせ部が底面部の裏面側において正面部と背面部の間に突っ張った状態で位置され、底面部も補強されるので、底面部が正面部と背面部の間を狭める方向に変形し難くなり、収納ボックスの強度を有効に高めることができる。
【００１２】
前記収納ボックスが、前記底面部より前記側面部の裏面側に折り返された重ね合わせ部を備え、前記第２の折り込み工程時に、前記底面部より前記側面部の裏面側に重ね合わせ部を折り返すようにしても、上記と同様の作用効果が奏される。
【００１３】
さらに、前記収納ボックスが、前記出し入れ口の短手方向の両縁より側面部の裏面側に折り返される補助折り返し片を備え、前記第１の折り込み工程以降に前記補助折り返し片を折り返す工程を実施すれば、補助折り返し片が正面部と裏面部の間に突っ張った状態で位置されるので、正面部と裏面部の間の出し入れ口が狭まる方向に変形し難くなり、収納ボックスの強度をより有効に高めて、記録媒体保持ケースの出し入れに支障が生じることを防止することができる。
【００１４】
また、前記第１の折り込み工程の前に、予め展開ブランクの糊面となる位置に両面テープの一方の面を貼着しておき、前記仕上げ工程において前記両面テープの他方の面から剥離紙を剥離して糊面を形成するようにすれば、糊面を所要箇所に瞬時かつ適切に形成することができ、作業時間の更なる短縮化が図られる。
【００１５】
或いは、前記仕上げ工程において、前記差し込み片を前記正面部と折り返し片との隙間から引き出し、この引き出した差し込み片に対して糊の添着を行うようにすれば、組み立て段階で糊が不必要な箇所に転着されることを防ぎ、確実な糊面を形成することができる。
【００１６】
さらにまた、展開ブランクを薄くしても収納ボックスに所要の強度が確保されることで、展開ブランク自体に所要のプリントを施すプリント工程を予め実施することができるようになるので、これによりプリントフィルムを不要にして、製造工程を簡略化し製造コストの削減が図れるだけでなく、ボックスの内側にもプリントができる等といったデザインの多様化も果たすことができる。
【００１７】
さらに、展開ブランクに対して、予め折り曲げた状態で出し入れ口の長手方向に沿った縁となる部位に穴を打ち抜いて空けておけば、収納ボックスを組み立てた際に記録媒体保持ケースの出し入れ口の長手方向に沿った縁に半円状の窪みができるので、記録媒体保持ケースの出し入れの際、収納ボックスに触れることなくスムーズに当該記録媒体保持ケースの出し入れができるようになる。
【発明の効果】
【００１８】
本発明は、以上説明した構成であるから、コストを抑えた薄い材料でも所要の強度を確保し、簡単な折り曲げ作業や糊付け作業で短時間に組立てを完成でき、材料コストの削減と製造コストの削減を同時に実現した記録媒体保持ケース用の収納ボックスを提供することが可能である。
【図面の簡単な説明】
【００１９】
【図１】本発明の一実施形態に係る製造方法によって組み立てられる収納ボックスを示す斜視図。
【図２】同収納ボックスの組み立てに使用する展開ブランクを示す平面図。
【図３】同実施形態に係る第１折り込み工程を示す斜視図。
【図４】同実施形態に係る第２折り込み工程を示す斜視図。
【図５】同実施形態に係る仕上げ工程を示す斜視図。
【図６】同実施形態における組立工程全体の概要を示す斜視図
【発明を実施するための形態】
【００２０】
以下、本発明の一実施形態を、図面を参照して説明する。
【００２１】
図１は、この実施形態の製造方法によって組み立てられる収納ボックスを示す斜視図、図２はこの収納ボックスの組み立てに使用する展開ブランクを示す平面図、図３〜図５は組立工程を説明する工程説明図、図６は以上の組立工程全体の概要を示す図である。
【００２２】
この収納ボックスは、ビデオカセットケースやＤＶＤケース等の記録媒体保持ケース（図示省略）を収納するために用いられるものである。
【００２３】
先ず、図１及び図６に示す収納ボックスＡは、正面部１、背面部２、一対の側面部４および底面部３によって頂部側を記録媒体保持ケースの出し入れ口Ｂとして開口させた扁平箱型の収納ボックス本体Ａと、この収納ボックス本体Ａの前記出し入れ口Ｂの長手方向の両縁より正面部１および背面部２の裏面側に折り返された折り返し片１１、１２と、前記収納ボックス本体Ａの底面部３より内側に折り返されて前記正面部１と前記折り返し片１１との隙間に差し込まれた差し込み片５と、前記側面部４より前記底面部３の裏面側に折り返された重ね合わせ部６と、前記出し入れ口Ｂの短手方向の両縁より側面部４の裏面側に折り返される補助折り返し片７を備えて構成されている。
【００２４】
図２に示す展開ブランクは、オフセット印刷機に通せる程度の厚みを有する１枚の紙素材（例えば厚み０．５ｍｍ〜０．７ｍｍ程度の板紙）を、抜きと筋押しを同時に処理するトムソン加工により打ち抜き、且つ所要箇所に折り線を施して、折り返し片１１、正面部１、底面部３、背面部２、折り返し片１２を一方向に隣接させて形成し、背面部２の短手方向の両縁に側面部４と差込片５を前記一方向と直交する方向に隣接させて形成し、両側面部４の短手方向の一辺のうち、収納ボックスＡを組み立てた際に底面部３に接する一辺には重ね合わせ部６を、残りのもう一辺には補助折り返し片７をそれぞれ隣接させて形成したものである。なお、折り線は、正面部１、底面部３等の各領域の境界に予めプレス等により形成してある。前記差込片５の表面側には糊面１５ａとなる位置にあらかじめ両面テープ１５（図５参照）の一方の面を貼着しておき、組み立て終盤に他方の面から剥離紙を剥離させて糊面１５ａを形成するように構成されている。
【００２５】
次に、この展開ブランクから収納ボックスＡを組み立てる工程について説明する。この工程は、先ず収納ボックスＡを仮組みし、しかる後、所要箇所を糊付けして仕上げる工程からなっている。
【００２６】
仮組み工程は、図３に示す第１折り込み工程と、図４に示す第２折り込み工程からなる。
【００２７】
第１折り込み工程では、前記折り返し片１１，１２を図６に矢印で示すように正面部１および背面部２の裏面に折り返しつつ、正面部１および背面部２を底面部３の裏面方向に底面部３と垂直になるように、つまり正面部１および背面部２が底面部３を介して対面する位置に折り曲げる。
【００２８】
第２折り込み工程では、まずは前記差し込み片５と前記重ね合わせ部６を図６に矢印で示すように裏面方向に折り曲げて折り目をつけておき、次に前記側面部４を背面部２の裏面方向に背面部２と垂直になるように折り曲げ、その際前記差し込み片５は前記正面部１と前記折り返し片１１との隙間Δ（図６参照）に差し込み、前記重ね合わせ部６は底面部３の裏面に重ねる。
【００２９】
仕上げ工程では、図５で示すとおり、前記正面部１と前記折り返し片１１との隙間Δに差し込んだ前記差し込み片５を一旦引き出し、差し込み片５の表面側に粘着した両面テープ１５の一方の面から剥離紙を表出させて糊面１５ａを形成し、差し込み片５を再度前記正面部１と折り返し片１１との隙間Δに差し込んで差し込み片５と正面部１の裏面を粘着させる。
【００３０】
なお、前記補助折り返し片７は側面部４の裏面側に折り返すが、折り返すタイミングは図３〜５に示す各工程のうちのどの段階でもよい。以上の工程を経て、図１に示す収納ボックスＡの組み立てが完了する。
【００３１】
以上のように、本実施形態に係る収納ボックスＡの製造方法は、前記折り返し片１１，１２を正面部１および背面部２の内側に折り返しつつ正面部１および背面部２を、底面部３を介して対面位置に折り曲げる第１の折り込み工程と、前記正面部１、背面部２および底面部３で部分的に囲まれる側面開口を閉止する位置に前記側面部４を折り曲げつつ前記正面部１と前記折り返し片１１，１２との隙間Δに前記差し込み片５を差し込む第２の折込工程とによって収納ボックスＡを仮組みし、しかる後、前記差し込み片５を前記正面部１と折り返し片１１，１２との隙間Δから引き出して糊面１５ａを形成し再度前記正面部１と折り返し片１１，１２との隙間Δに挿入することで差し込み片５を正面部１の裏面に糊付けする仕上げ工程を実施するようにしているため、折り込みから仮組、仕上げまでを簡単な折り曲げ作業や糊付け作業を通じて短時間で完了することができる。しかも、正面部１および背面部２が折り返し片によって二重になり、差込片５が背面部２から起こされて正面部１と折り返し片１１，１２の間に差し込まれて貼着されることによって正面部１、背面部２、側面部４および底面部３が不離一体になるため、展開ブランクの紙を、コストを抑えた薄い材料にしても所要の強度を確保することが容易になり、材料コストの削減とともに作業の一層の簡素化を果たすことができるようになる。したがって、この収納ボックスＡを、出し入れ口Ｂを手前にして正面部１と背面部２を片手で掴み、その状態で記録媒体保持ケースを出し入れしても、片手で掴んだ際に出し入れ口Ｂの開口が狭まり、記録媒体保持ケースの挿入や抜き取りが困難になる不都合を回避できるものとなる。
【００３２】
また、第２の折り込み工程時に、前記側面部４より前記底面部３の裏面側に重ね合わせ部６を折り返すようにしているので、作業手順を殆ど増加させることなく、重ね合わせ部６が底面部３の裏面側において正面部１と背面部２の間に突っ張った状態で位置され、底面部３も補強されるので、底面部３が正面部１と背面部２の間を狭める方向に変形し難くなり、収納ボックスＡの強度を有効に高めることができる。
【００３３】
さらに、第１の折り込み工程以降に前記補助折り返し片７を、前記頂部Ｂの短手方向の両縁より側面部４の裏面側に折り返す工程を実施することで、補助折り返し片７が正面部１と裏面部２の間に突っ張った状態で位置されるので、正面部１と裏面部２の間の出し入れ口Ｂが狭まる方向に変形し難くなり、収納ボックスＡの強度をより有効に高めて、記録媒体保持ケースの出し入れに支障が生じることを防止することができる。
【００３４】
特に、予め展開ブランクの糊面１５ａとなる位置に両面テープ１５の一方の面を貼着しておき、前記仕上げ工程において前記両面テープ１５の他方の面から剥離紙を表出させて糊面１５ａを形成するようにしているので、糊面１５ａを所要箇所に瞬時かつ適切に形成することができ、従来のように改めて糊付けやステープラで留める必要がなく、作業時間の更なる短縮化と仕上がりの美しさが図られる。
【００３５】
なお、各部の具体的な構成は、上述した実施形態のみに限定されるものではない。
【００３６】
例えば、上記実施形態では、重ね合わせ部６は両側面部４の短手方向の一辺のうち、収納ボックスＡを組み立てた際に底面部３に接する辺に隣接させていたが、底面部３の短手方向の両辺に隣接するように形成し、第２の折り込み工程時に底面部３より側面部４の裏面側に重ね合わせ部を折り返すようにすることも可能である。
【００３７】
また、展開ブランク自体に所要のプリントを施すプリント工程を予め実施することができることで、プリントフィルムが不要になるので、製造工程が簡略化されるだけでなく、製造コストの削減も果たすことができる。また、後付のフィルムやカバーを要しない、一枚の展開ブランクからなる一体の収納ボックスＡは、一面印刷であっても、折り返して組み立てることで開口部となる頂部Ｂ、ボックスの内側である折り返し部１１，１２にもプリントが施された状態にすることができるので、細部にわたるデザインが簡単に楽しめる。勿論、本願発明の基本的な効果を奏する範囲で、展開ブランクに対して薄いフィルムをコーティングしたりマスキングすることを妨げるものではない。
【００３８】
さらに、展開ブランクを打ち抜く際、頂部Ｂの一部となる部位、たとえば正面部１と折り返し片１１または背面部２と折り返し片１２が接する辺の中点を中心点として穴を空けておくようにしてもよい。この状態で収納ボックスＡを組み立てると記録媒体保持ケースの出し入れ口Ｂの長手方向に沿った縁部に半円状の窪みができるので、記録媒体保持ケースの出し入れの際、収納ボックスに触れることなくスムーズに当該記録媒体保持ケースの出し入れができるようになる。
【００３９】
また、前記仕上げ工程において、前記差し込み片を前記正面部と折り返し片との隙間から引き出し、この引き出した差し込み片に対して糊の添着を行うようにすれば、組み立て段階で糊が不必要な箇所に転着されることを防ぎ、確実な糊面を形成することができる。
【００４０】
さらにまた、この収納ボックスＡの製造方法は、1枚の展開ブランクの各サイズを変えることで、あらゆる大きさに対応した収納ボックスを提供することができる。
【００４１】
その他の構成も、本発明の趣旨を逸脱しない範囲で種々変形が可能である。
【符号の説明】
【００４２】
Ａ…収納ボックス
Ｂ…出し入れ口
１…正面部
２…背面部
３…底面部
４…側面部
５…差込片
６…重ね合わせ部
７…補助折り返し片
１１、１２…折り返し片
１５…両面テープ
１５ａ…糊面
【図１】
0005559740.tif 000002
【図２】
0005559740.tif 000003
【図３】
0005559740.tif 000004
【図４】
0005559740.tif 000005
【図５】
0005559740.tif 000006
【図６】
0005559740.tif 000007